(57)【要約】【課題】太陽熱の集熱によって取り込んだ熱を効率的に利用する給熱設備を提供する。【解決手段】集熱器１１による太陽熱の集熱により加熱した熱媒Ａを循環させて貯湯タンク１２内の湯水を加熱し、貯湯タンク１２からの出湯によって外部に熱を供給する給熱設備１０であって、熱媒Ｂを循環させて暖房運転を行うヒートポンプ回路３３に、暖房運転の際の熱媒Ｂの流れに沿って順に、外気と熱媒Ｂを熱交換する第１の熱交換器３５、圧縮機３６、被空調空間３４内の空気と熱媒Ｂを熱交換する第２の熱交換器３７、及び、膨張弁３８が設けられ、暖房運転の際のヒートポンプ回路３３の熱交換器３５の出側と熱交換器３７の出側が、熱媒Ａの熱を熱媒Ｂに与える熱交換器２８が設けられたバイパス流路４９によって接続され、熱交換器３７からの熱媒Ｂを熱交換器２８を通過させ熱交換器３７に送って、熱媒Ａから熱媒Ｂに与えられた熱を被空調空間３４に放出する。【選択図】図１
2015010759.tif 000002
【特許請求の範囲】
【請求項１】
集熱器による太陽熱の集熱により加熱した熱媒Ａを循環させて貯湯タンク内の湯水を加熱し、該貯湯タンクからの出湯によって外部に熱を供給する給熱設備であって、
熱媒Ｂを循環させて暖房運転を行うヒートポンプ回路が形成され、
前記ヒートポンプ回路に、暖房運転の際の前記熱媒Ｂの流れに沿って順に、外気と前記熱媒Ｂを熱交換する第１の熱交換器、前記熱媒Ｂを圧縮する圧縮機、被空調空間内の空気と前記熱媒Ｂを熱交換する第２の熱交換器、及び、前記熱媒Ｂを減圧する膨張弁Ｐが設けられ、
暖房運転の際の前記ヒートポンプ回路の前記第１の熱交換器の出側と前記第２の熱交換器の出側が、前記熱媒Ａの熱を前記熱媒Ｂに与える第３の熱交換器が設けられたバイパス流路によって接続され、前記第２の熱交換器から出た前記熱媒Ｂを、前記第３の熱交換器を通過させ前記第２の熱交換器に送って、前記熱媒Ｂが前記第３の熱交換器の通過の際に前記熱媒Ａから与えられた熱を前記被空調空間に放出することを特徴とする給熱設備。
【請求項２】
請求項１記載の給熱設備において、前記熱媒Ｂが前記ヒートポンプ回路を循環する方向及び前記熱媒Ｂが前記バイパス流路を流れる方向を逆にして、暖房運転と冷房運転を切り替える流れ切替手段が設けられ、前記熱媒Ｂは、夜間の冷房運転の際、前記第２の熱交換器を通過して前記被空調空間から熱を吸収し、前記第３の熱交換器の通過によって前記熱媒Ａに熱を伝え、前記熱媒Ａは、前記熱媒Ｂから伝えられた熱を、前記集熱器を通過して外気に放出することを特徴とする給熱設備。
【請求項３】
請求項２記載の給熱設備において、前記流れ切替手段は、前記ヒートポンプ回路に設けられた四方弁であることを特徴とする給熱設備。
【請求項４】
請求項１〜３のいずれか１項に記載の給熱設備において、前記バイパス流路には、該バイパス流路への前記熱媒Ｂの流入を止める流路閉止手段が設けられていることを特徴とする給熱設備。
【請求項５】
請求項４記載の給熱設備において、前記流路閉止手段は、暖房運転の際の前記第３の熱交換器の上流側に配置され、前記第３の熱交換器に送られる前記熱媒Ｂを減圧する膨張弁Ｑであることを特徴とする給熱設備。
【発明の詳細な説明】
【技術分野】
【０００１】
本発明は、太陽熱の集熱により取り込んだ熱を供給する給熱設備に関する。
【背景技術】
【０００２】
近年、再生可能エネルギーの一例である太陽熱を利用する設備が着目され、その具体例が特許文献１〜３に記載されている。
特許文献１、２の設備は、太陽熱の集熱により加熱した熱媒を用いて貯湯タンク内の湯を加熱し、貯湯タンクからの出湯によって外部に熱を供給する。
特許文献３の設備は、太陽熱を集熱して昇温した湯を、直接、床暖房パネルに供給して床暖房を行うことができる。更に、この設備は、ヒートポンプにより沸き上げた貯湯タンク内の湯も、床暖房パネルに供給できるので、太陽熱の集熱が十分でない場合でも床暖房を安定的に行える。
【先行技術文献】
【特許文献】
【０００３】
【特許文献１】特開２０１２−９３０６１号公報
【特許文献２】特開２０１３−５３８００号公報
【特許文献３】特開２００２−２５７３６４号公報
【発明の概要】
【発明が解決しようとする課題】
【０００４】
しかしながら、特許文献１、２の設備では、太陽熱の集熱量が減少すると、太陽熱の集熱により加熱した熱媒と貯湯タンク内の湯の温度差が小さくなって、太陽熱を利用した貯湯タンク内の湯の加熱が行えないという課題があった。
また、特許文献３の設備においても、太陽熱の集熱量が減少すると、太陽熱を利用した床暖房は行えず、床暖房を行うための熱をヒートポンプの作動により得る必要があった。
【０００５】
特に、冬場は、他の季節に比べて多くの湯が必要とされ、また、床暖房を行う頻度も多くなるが、これに反して太陽熱の集熱量が低下して、太陽熱を有効に利用することができなかった。
本発明は、かかる事情に鑑みてなされるもので、太陽熱の集熱によって取り込んだ熱を効率的に利用する給熱設備を提供することを目的とする。
【課題を解決するための手段】
【０００６】
前記目的に沿う本発明に係る給熱設備は、集熱器による太陽熱の集熱により加熱した熱媒Ａを循環させて貯湯タンク内の湯水を加熱し、該貯湯タンクからの出湯によって外部に熱を供給する給熱設備であって、熱媒Ｂを循環させて暖房運転を行うヒートポンプ回路が形成され、前記ヒートポンプ回路に、暖房運転の際の前記熱媒Ｂの流れに沿って順に、外気と前記熱媒Ｂを熱交換する第１の熱交換器、前記熱媒Ｂを圧縮する圧縮機、被空調空間内の空気と前記熱媒Ｂを熱交換する第２の熱交換器、及び、前記熱媒Ｂを減圧する膨張弁Ｐが設けられ、暖房運転の際の前記ヒートポンプ回路の前記第１の熱交換器の出側と前記第２の熱交換器の出側が、前記熱媒Ａの熱を前記熱媒Ｂに与える第３の熱交換器が設けられたバイパス流路によって接続され、前記第２の熱交換器から出た前記熱媒Ｂを、前記第３の熱交換器を通過させ前記第２の熱交換器に送って、前記熱媒Ｂが前記第３の熱交換器の通過の際に前記熱媒Ａから与えられた熱を前記被空調空間に放出する。
【０００７】
本発明に係る給熱設備において、前記熱媒Ｂが前記ヒートポンプ回路を循環する方向及び前記熱媒Ｂが前記バイパス流路を流れる方向を逆にして、暖房運転と冷房運転を切り替える流れ切替手段が設けられ、前記熱媒Ｂは、夜間の冷房運転の際、前記第２の熱交換器を通過して前記被空調空間から熱を吸収し、前記第３の熱交換器の通過によって前記熱媒Ａに熱を伝え、前記熱媒Ａは、前記熱媒Ｂから伝えられた熱を、前記集熱器を通過して外気に放出するのが好ましい。
【０００８】
本発明に係る給熱設備において、前記流れ切替手段は、前記ヒートポンプ回路に設けられた四方弁であるのが好ましい。
【０００９】
本発明に係る給熱設備において、前記バイパス流路には、該バイパス流路への前記熱媒Ｂの流入を止める流路閉止手段が設けられているのが好ましい。
【００１０】
本発明に係る給熱設備において、前記流路閉止手段は、暖房運転の際の前記第３の熱交換器の上流側に配置され、前記第３の熱交換器に送られる前記熱媒Ｂを減圧する膨張弁Ｑであるのが好ましい。
【発明の効果】
【００１１】
本発明に係る給熱設備は、暖房運転の際のヒートポンプ回路の第１の熱交換器の出側と第２の熱交換器の出側が、熱媒Ａの熱を熱媒Ｂに与える第３の熱交換器が設けられたバイパス流路によって接続され、第２の熱交換器から出た熱媒Ｂを、第３の熱交換器を通過させ第２の熱交換器に送って、熱媒Ｂが第３の熱交換器の通過の際に熱媒Ａから与えられた熱を被空調空間に放出するので、集熱器による太陽熱の集熱によって熱媒Ａに取り込んだ熱を、被空調空間の暖房に用いることで有効に利用することが可能である。
【図面の簡単な説明】
【００１２】
【図１】本発明の一実施の形態に係る給熱設備の説明図である。
【図２】同給熱設備の回路図である。
【図３】暖房運転の際の熱媒Ｂの流れを示す説明図である。
【図４】冷房運転の際の熱媒Ｂの流れを示す説明図である。
【発明を実施するための形態】
【００１３】
続いて、添付した図面を参照しつつ、本発明を具体化した実施の形態につき説明し、本発明の理解に供する。
図１、図２に示すように、本発明の一実施の形態に係る給熱設備１０は、集熱器１１による太陽熱の集熱により加熱した熱媒Ａを循環させて貯湯タンク１２内の湯水（湯、又は、水を意味する）を加熱し、貯湯タンク１２からの出湯によって外部に熱を供給する。以下、これらについて詳細に説明する。
【００１４】
給熱設備１０は、図１に示すように、建物１３の屋根１３ａに設置された集熱器１１と、湯を貯留する貯湯タンク１２と、室外機１４と、室外機１４に接続された室内機１５を備えている。
日中に太陽熱を集熱する集熱器１１は、熱媒Ａが循環する循環回路１７に接続され、集熱器１１に流入した熱媒Ａを、太陽熱の集熱により加熱する。本実施の形態では、熱媒Ａに不凍液を用いている。
【００１５】
循環回路１７は、貯湯タンク１２を収容している筺体１８内に引き込まれ、筺体１８に収容された熱交換器１９に接続されている。熱交換器１９には、この循環回路１７に加え、熱媒Ｃ（不凍液、又は、水）が循環する循環回路２０が接続されている。
循環回路１７には、図２に示すように、熱媒Ａを循環回路１７内で循環させるポンプ２１が設けられ、循環回路２０には、熱媒Ｃを循環回路２０内で循環させるポンプ２２と、貯湯タンク１２内の下部に配置された図１に示す熱交換器２３が設けられている。なお、図１においては、ポンプ２１、２２の記載が省略されている。
【００１６】
ポンプ２１、２２が作動すると、循環回路１７において、集熱器１１で加熱された熱媒Ａが熱交換器１９に送られ、循環回路２０において、熱交換器１９から熱交換器２３に熱媒Ｃが送られる。熱媒Ａと熱媒Ｃは、熱交換器１９を通過の際に熱交換され、熱媒Ａの熱を熱媒Ｃに与えることができる。
熱媒Ａから熱を与えられて昇温した熱媒Ｃは、熱交換器２３を通過の際に貯湯タンク１２内の湯水に熱を与える。従って、循環回路１７に熱媒Ａを循環させ、循環回路２０に熱媒Ｃを循環させることによって、太陽熱の集熱により熱媒Ａに取り込んだ熱エネルギーを、熱媒Ｃを介して、貯湯タンク１２内に取り込むことが可能である。
なお、貯湯タンク１２には、図１に示すように、下部に貯湯タンク１２内に水道水を供給する水道管１２ａが連結され、上部に貯湯タンク１２から台所や浴槽に湯を送る出湯管１２ｂが連結されている。
【００１７】
ここで、集熱器１１から熱交換器１９に送られる熱媒Ａの温度から貯湯タンク１２内の下部の湯水の温度を差し引いた値（以下、「温度差Ｔ」ともいう）が所定温度（例えば５℃）未満であるときは、太陽熱の集熱により得た熱エネルギーを貯湯タンク１２内に効率的に取り込むことができない。このため、温度差Ｔが所定温度未満であるときは、ポンプ２２が停止され、熱媒Ｃを循環回路２０内に循環させないようにする。
貯湯タンク１２内全体の湯水が沸き上げられている際、あるいは、冬場で日差しが弱い際等に、温度差Ｔは所定温度未満になり得る。
なお、循環回路１７には、集熱器１１から送り出される熱媒Ａの温度を計測する図示しない温度センサが設けられ、貯湯タンク１２には、貯湯タンク１２内の下部にある湯水の温度を計測する図示しない温度センサが設けられている。
【００１８】
循環回路１７は、図１に示すように、熱交換器１９に加え、熱交換器２５が接続され、熱交換器２５には、室外機１４に連結され、熱媒Ｄ（不凍液、又は、水）を充填した循環回路２６が接続されている。
循環回路２６は、図２に示すように、室外機１４の筺体２７内に配置された熱交換器２８（第３の熱交換器）に接続され、熱媒Ｄは、循環回路２６に設けられたポンプ２９の作動により循環回路２６内を循環する。ポンプ２９が作動中、熱交換器２８から出た熱媒Ｄは、熱交換器２５に向かい熱交換器２５を通過した後に熱交換器２８に戻る。
循環回路２６には、ポンプ２９の他、熱媒Ｄを蓄えたタンク３０、熱交換器２８に送られる熱媒Ｄの温度を計測する温度センサ３１、熱交換器２８から流れ出た熱媒Ｄの温度を計測する温度センサ３２が設けられている。
【００１９】
また、給熱設備１０には、熱媒Ｂを循環させて暖房運転を行うヒートポンプ回路３３が形成されている。ヒートポンプ回路３３は、図１に示すように、建物１３の外に設置された室外機１４と、建物１３の被空調空間３４内に設置された室内機１５を接続している。
ヒートポンプ回路３３には、図２に示すように、暖房運転の際の熱媒Ｂの流れに沿って順に、外気と熱媒Ｂを熱交換する熱交換器３５（第１の熱交換器）、熱媒Ｂを圧縮する圧縮機３６、被空調空間３４内の空気と熱媒Ｂを熱交換する熱交換器３７（第２の熱交換器）、及び、熱媒Ｂを減圧する膨張弁３８（膨張弁Ｐ）が設けられている。膨張弁３８は、膨張弁３８を熱媒Ｂが通過可能な状態と、熱媒Ｂが膨張弁３８を通過できない閉止状態を切り替えることができる。
なお、本実施の形態では、熱媒ＢにフロンＲ４１０Ａを用いているが、これに限定されず、所謂、冷媒であればよく、例えば、フロンＲ４０７Ｃを用いることができる。
【００２０】
暖房運転の際、熱媒Ｂは、図３に示すように、圧縮機３６の作動により、熱交換器３５、圧縮機３６、熱交換器３７、膨張弁３８を順に通過する方向で、ヒートポンプ回路３３内を循環する。これによって、熱媒Ｂは、熱交換器３５を通過中に蒸発して外気から吸熱した後、圧縮機３６によって圧縮され、熱交換器３７を通過中に凝縮して被空調空間３４に放熱し熱を与え、膨張弁３８により減圧された後に、熱交換器３５に送られて再び外気から熱を吸収する。従って、暖房運転の際には、被空調空間３４に対し連続的に熱を放出することができる。
【００２１】
熱交換器３５、圧縮機３６及び膨張弁３８は、図２に示すように、室外機１４の筺体２７内に配置され、熱交換器３７は、室内機１５の筺体３９内に配置されている。
室外機１４の筺体２７内には、熱交換器３５、圧縮機３６及び膨張弁３８に加え、熱交換器３５の熱交換を促進するプロペラファン４０、外気の温度を計測する温度センサ４１、所定の位置で熱媒Ｂの温度を計測する温度センサ４２、４３、４４、液状の熱媒Ｂが圧縮機３６に供給されるのを防ぐアキュームレータ４５が配置されている。
【００２２】
更に、室外機１４の筺体２７内には、熱媒Ｂがヒートポンプ回路３３内を循環する方向を逆にする四方弁４６が設けられている。
四方弁４６は、熱媒Ｂが熱交換器３５、圧縮機３６、熱交換器３７、膨張弁３８を順に通過する暖房用経路と、熱媒Ｂが熱交換器３７、圧縮機３６、熱交換器３５、膨張弁３８を順に通過する冷房用経路をヒートポンプ回路３３に設けることができる。
本実施の形態では、回路設計を簡素にするため、流れ切替手段が四方弁４６によって構成しているが、必ずしもその必要はなく、例えば、複数の開閉弁によって流れ切替手段を構成してもよい。
【００２３】
熱媒Ｂの流れが暖房用経路から冷房用経路に切り替わり、図４に示すように、熱媒Ｂが熱交換器３７、圧縮機３６、熱交換器３５、膨張弁３８を順に通過するようになると、熱媒Ｂは、熱交換器３７を通過中に蒸発して被空調空間３４から吸熱し、熱交換器３５を通過中に凝縮して外気に放熱する。よって、ヒートポンプ回路３３に冷房用経路を形成することで、被空調空間３４を冷房する冷房運転を行うことが可能になる。
なお、室内機１５の筺体３９内には、筺体３９内の空気を筺体３９外に送り出すファン４７が設けられている。
【００２４】
また、暖房運転の際のヒートポンプ回路３３の熱交換器３５の出側と、熱交換器３７の出側は、図３に示すように、熱交換器２８が設けられたバイパス流路４９によって接続されている。本実施の形態では、バイパス流路４９は、熱交換器３５と圧縮機３６の間、及び、熱交換器３７と膨張弁３８の間を接続している。
ヒートポンプ回路３３に暖房用経路が形成されている際、熱交換器３７から出た熱媒Ｂは、バイパス流路４９を通って圧縮機３６に送られる。
【００２５】
そして、バイパス流路４９には、暖房運転の際の熱交換器２８の上流側に配置され、バイパス流路４９を流れる熱媒Ｂを減圧する膨張弁５０（膨張弁Ｑ）が設けられている。膨張弁５０は、熱媒Ｂが膨張弁５０を通過可能（即ち、バイパス流路４９に流入可能）な状態と、ヒートポンプ回路３３からバイパス流路４９への熱媒Ｂの流入を止める閉止状態を切り替え可能で、更に、開度調整により熱媒Ｂの通過量を調整できる。
本実施の形態では、流路閉止手段として膨張弁５０を採用しているが、これに限定されず、流路閉止手段に開閉弁を用いてもよい。但し、流路閉止手段に開閉弁を用いる場合、バイパス流路４９を流れる熱媒Ｂを減圧する膨張弁を別途設ける必要がある。
【００２６】
ここで、膨張弁５０を熱媒Ｂが通過可能な状態にし、膨張弁３８を閉止状態にし、更に、ヒートポンプ回路３３に暖房用経路を形成し、圧縮機３６を作動させると、熱交換器３７から出た熱媒Ｂの全てが、バイパス流路４９に流入して熱交換器２８を通過した後、ヒートポンプ回路３３に流入し圧縮機３６を通って熱交換器３７に向かうことになる。
そして、膨張弁３８、５０をそれぞれ熱媒Ｂが通過可能な状態にした上で、ヒートポンプ回路３３に暖房用経路を形成し、圧縮機３６を作動させると、熱交換器３７から出た熱媒Ｂの一部が、バイパス流路４９に流入して熱交換器２８を通過した後、ヒートポンプ回路３３に流入し圧縮機３６を通って熱交換器３７に向かい、熱交換器３７から出た残りの熱媒Ｂは、ヒートポンプ回路３３を循環して、熱交換器３７に戻ることになる。
【００２７】
ヒートポンプ回路３３に暖房用経路が形成され、熱交換器３７から出た熱媒Ｂの一部又は全てがバイパス流路４９に流入している状態で、熱交換器２８において、熱媒Ｂと熱媒Ｄの熱交換が行われて熱媒Ｂの温度が上昇すると、熱媒Ｂが熱媒Ｄから得た熱が熱交換器３７から被空調空間３４に放出される。
ここで、熱交換器２８において、熱媒Ｂが熱媒Ｄから熱を与えられて温度が上昇するためには、循環回路１７を循環する熱媒Ａが集熱器１１を通過の際に太陽熱を吸収し、その熱媒Ａが熱交換器２５を通過の際に循環回路２６を循環する熱媒Ｄに熱を与えることが必要である。
【００２８】
そして、種々の検証により、集熱器１１による太陽熱の集熱量が貯湯タンク１２の湯水の加熱を行えないレベルであっても、集熱器１１を通過の際に太陽熱を吸収した熱媒Ａが熱媒Ｄに熱を与え、結果として、熱媒Ａの熱が熱媒Ｄを介して熱媒Ｂに与えられ熱媒Ｂが昇温することが確認されている。
従って、熱交換器３７から出た熱媒Ｂの一部又は全てが、熱交換器２８を通過して加熱され熱交換器３７に送られることにより、熱交換器３７から出た熱媒Ｂを、熱交換器２８に送って、熱媒Ｂが熱交換器２８を通過の際に熱媒Ｄを介して熱媒Ａから与えられた熱を被空調空間３４に放出することができる。
これにより、集熱器１１による太陽熱の集熱によって熱媒Ａに取り込まれた熱を利用した暖房運転が可能となる。
【００２９】
そして、この暖房運転は、集熱器１１による太陽熱の集熱量が貯湯タンク１２の湯水の加熱を行えないレベルであっても行うことができるので、太陽熱の集熱により熱媒Ａに得た熱を有効利用することが可能である。
冬場は、他の季節に比べ、貯湯タンク１２に供給される水道水の温度と太陽熱の集熱によって加熱された熱媒Ａの温度の差が小さくなり、熱媒Ａから貯湯タンク１２内に取り込まれる熱量が低下する。このため、熱媒Ａは、熱交換器１９を通過した後も、熱媒Ｄを介して熱媒Ｂに熱を与えることができる状態になっている。よって、特に冬場は、貯湯タンク１２内に取り込めなかった熱媒Ａの熱量をヒートポンプ回路３３に回収する効果が大きくなるいといえる。
【００３０】
一方、太陽熱の集熱により熱媒Ａに取り込まれた熱が、暖房運転に利用できないレベルであるときは、膨張弁５０を閉止状態にし、膨張弁３８を熱媒Ｂが通過可能な状態にし、ヒートポンプ回路３３に熱媒Ｂを循環させて、暖房運転を行うことができる。
ここで、太陽熱の集熱により熱媒Ａに取り込まれる熱が、暖房運転に利用できないレベルであるか否かは、例えば、温度センサ３２により計測される熱交換器２８を通過した熱媒Ｄの温度と、温度センサ３１により計測される熱交換器２８に送られる熱媒Ｄの温度との差異によって検知可能である。
【００３１】
また、ヒートポンプ回路３３に冷房用経路を形成し、圧縮機３６を作動することによって、熱媒Ｂのヒートポンプ回路３３を循環する方向及び熱媒Ｂのバイパス流路４９を流れる方向が暖房運転時と逆になり、被空調空間３４を冷房する冷房運転が行われることになる。
この冷房運転の際に、膨張弁５０を熱媒Ｂが通過可能な状態にし、膨張弁３８を閉止状態にしていると、熱交換器３７を通過し圧縮機３６から吐出された熱媒Ｂは、全てが、バイパス流路４９に流入し、熱交換器２８を通過して熱交換器３７に送られる。
【００３２】
そして、冷房運転の際に、膨張弁３８、５０を共に熱媒Ｂが通過可能な状態にしていると、熱交換器３７を通過し圧縮機３６から吐出された熱媒Ｂは、一部が、バイパス流路４９に流入し熱交換器２８を通過して熱交換器３７に送られ、残りが、ヒートポンプ回路３３を循環して熱交換器３７に戻ることになる。
冷房運転の際に、熱交換器３７を通過し圧縮機３６から吐出された熱媒Ｂの一部又は全てがバイパス流路４９に流入することにより、熱交換器２８において、熱媒Ｂと熱媒Ｄの熱交換が行われる。
【００３３】
熱交換器２８における熱媒Ｂと熱媒Ｄの熱交換によって、熱媒Ｂの凝縮ができれば、熱媒Ｂが、適切な開度の膨張弁５０を通過後、熱交換器３７を通過の際に被空調空間３４から熱を吸収可能となる。
そして、熱交換器２８による熱媒Ｂと熱媒Ｄの熱交換によって熱媒Ｂを凝縮させるためには、熱媒Ｄが熱媒Ａに熱を与え、熱媒Ａが外気に放熱する必要がある。
ここで、集熱器１１は、夜間、放熱作用により熱媒Ａの熱を外気に放出可能である。従って、夜間、循環回路１７に熱媒Ａを循環させ、循環回路２６に熱媒Ｄを循環させることによって、熱媒Ａは、熱媒Ｄから熱を得て、この熱を集熱器１１を通過の際に外気に放出することができ、結果として、熱交換器２８において、熱媒Ｂを凝縮させることが可能となる。
【００３４】
因って、夜間の冷房運転の際に、膨張弁５０を熱媒Ｂが通過可能な状態にすることにより、熱媒Ｂは、熱交換器３７を通過して被空調空間３４から熱を吸収し、熱交換器２８の通過により、熱媒Ｄを介して熱媒Ａに熱を伝え、熱媒Ｄを介して熱媒Ｂの熱を得た熱媒Ａは、熱媒Ｂから伝えられた熱を、集熱器１１を介して外気に放出することができる。
なお、本実施の形態では、熱交換器２５及び循環回路２６を設けて、熱媒Ｂの熱が、熱媒Ｄを介して熱媒Ａに伝わるようにしているが、熱交換器２５及び循環回路２６を取り除き、循環回路１７を、直接、熱交換器２８に接続して、熱媒Ｂと熱媒Ａが熱交換器２８で、直接、熱交換できるように設計してもよい。
【００３５】
また、ポンプ２１、２２、２９、温度センサ３１、３２、４１、４２、４３、４４、圧縮機３６、膨張弁３８、５０、プロペラファン４０、四方弁４６、及び、ファン４７は、図示しない制御手段（例えば、マイクロコンピュータ）に接続され、制御手段からの指令信号により作動を行う。
【００３６】
以上、本発明の実施の形態を説明したが、本発明は、上記した形態に限定されるものでなく、要旨を逸脱しない条件の変更等は全て本発明の適用範囲である。
例えば、集熱器は集合住宅の屋上やベランダに設置することができる。
また、熱媒Ａは不凍液に限定されず、例えば、水であってもよい。熱媒Ａが水の場合、循環回路内の水を強制的に循環させることや、ヒータを設けること等によって循環回路内の水の凍結を防止することができる。
【符号の説明】
【００３７】
１０：給熱設備、１１：集熱器、１２：貯湯タンク、１２ａ：水道管、１２ｂ：出湯管、１３：建物、１３ａ：屋根、１４：室外機、１５：室内機、１７：循環回路、１８：筺体、１９：熱交換器、２０：循環回路、２１、２２：ポンプ、２３：熱交換器、２５：熱交換器、２６：循環回路、２７：筺体、２８：熱交換器、２９：ポンプ、３０：タンク、３１、３２：温度センサ、３３：ヒートポンプ回路、３４：被空調空間、３５：熱交換器、３６：圧縮機、３７：熱交換器、３８：膨張弁、３９：筺体、４０：プロペラファン、４１〜４４：温度センサ、４５：アキュームレータ、４６：四方弁、４７：ファン、４９：バイパス流路、５０：膨張弁
【図１】
2015010759.tif 000003
【図２】
2015010759.tif 000004
【図３】
2015010759.tif 000005
【図４】
2015010759.tif 000006